(57)【要約】【課題】多数のコンテンツが記録された記録媒体の概要情報を、表示装置本体と記録媒体とを非接触による簡単な操作で読み出して、希望するコンテンツの有無の判別及び希望するコンテンツの選択が容易に行えるようにする。【解決手段】コンテンツの概要とそのコンテンツが記録されている記録媒体１０２の識別子を概要情報サーバ１０４に対として保存し、記録媒体１０２内のコンテンツの概要情報を知りたい時は、記録媒体１０２の識別子を非接触で読み出して、概要情報サーバ１０４から該当の概要情報を取り出し記録媒体情報表示装置１０１の表示部に表示させる。記録媒体１０２からの非接触読み出しには記録媒体情報表示装置１０１のリモコン装置１０３を利用する。記録媒体１０２とリモコン装置１０３間は無線通信で、またリモコン装置１０３と記録媒体情報表示装置１０１の間は赤外線通信で行わせる。【選択図】図１
2011166643.tif 000002
【特許請求の範囲】
【請求項１】
放送データを受信する放送受信部と、
前記放送データに含まれる動画コンテンツを表示する表示部と、
前記動画コンテンツから概要情報を作成する概要情報作成部と、
前記概要情報を記憶する概要情報サーバと通信する通信Ｉ／Ｆ部と、
リモコン装置から着脱可能な記録媒体の媒体識別子を受信するリモコン受信部と、
前記記録媒体に対して、前記動画コンテンツの録画及び再生を行うとともに、前記概要情報を記録させるカード制御部と、
前記動画コンテンツを前記記録媒体に録画する場合には、前記概要情報を、前記カード制御部を介して前記記録媒体に記録するとともに、前記概要情報及び前記媒体識別子を、前記通信Ｉ／Ｆ部を介して前記概要情報サーバに送信して保存させ、
前記リモコン受信部が、前記リモコン装置から前記記録媒体の媒体識別子を受信した場合には、前記媒体識別子を前記通信Ｉ／Ｆ部を介して前記概要情報サーバに送信し、前記概要情報サーバから前記媒体識別子に対応した概要情報を受信して前記表示部に表示させる制御部と、
を備えたことを特徴とする記録媒体情報表示装置。
【請求項２】
前記制御部は、複数の概要情報サーバが接続されている場合には、それぞれの動画コンテンツに対応した概要情報を保存した概要情報サーバのサーバ識別子を前記概要情報に対応させて前記記録媒体に記録させ、
前記動画コンテンツごとに対応する概要情報サーバから概要情報を取得し、取得した前記概要情報を結合して前記表示部に表示させることを特徴とする請求項１に記載の記録媒体情報表示装置。
【請求項３】
前記制御部は、同一の動画コンテンツに対して複数の概要情報サーバから概要情報が取得された場合には、最新の概要情報を選択して前記表示部に表示させることを特徴とする請求項２に記載の記録媒体情報表示装置。
【請求項４】
前記制御部は、前記記録媒体が接続された時に、前記記録媒体の動画コンテンツの概要情報と前記概要情報が保存されている概要情報サーバのサーバ識別子を取得し、前記動画コンテンツに対応する古い概要情報が他の概要情報サーバに保存されている場合には、他の概要情報サーバの前記古い概要情報を削除させることを特徴とする請求項２に記載の記録媒体情報表示装置。
【請求項５】
前記概要情報サーバの機能を内蔵したことを特徴とする請求項１〜４のいずれか１項に記載の記録媒体情報表示装置。
【請求項６】
放送データを受信するステップと、
受信した前記放送データに含まれる動画コンテンツを表示するステップと、
前記動画コンテンツを着脱可能な記録媒体に録画するステップと、
前記動画コンテンツから概要情報を作成するステップと、
前記記録媒体に前記概要情報を記録するステップと、
概略情報サーバに前記概要情報及び前記記録媒体の媒体識別子を記録するステップと、
リモコン信号として前記記録媒体の媒体識別子を受信するステップと、
受信した前記媒体識別子に対応した概要情報を前記概要情報サーバから取得するステップと、
取得した前記概要情報を表示するステップと、
を有することを特徴とする記録媒体情報表示方法。
【請求項７】
前記記録媒体に前記概要情報を記録するステップは、複数の概要情報サーバが接続されている場合には、それぞれの動画コンテンツに対応した概要情報を保存した概要情報サーバのサーバ識別子を前記概要情報に対応させて記録し、
取得した前記概要情報を表示するステップは、複数の概要情報サーバから取得した概要情報を結合して表示することを特徴とする請求項６に記載の記録媒体情報表示方法。
【請求項８】
取得した前記概要情報を表示するステップは、同一の動画コンテンツに対して複数の概要情報サーバから概要情報が取得された場合には、最新の概要情報を選択して表示することを特徴とする請求項７に記載の記録媒体情報表示方法。
【請求項９】
前記記録媒体が接続された時に、前記記録媒体の動画コンテンツの概要情報と前記概要情報が保存されている概要情報サーバのサーバ識別子を取得し、前記動画コンテンツに対応する古い概要情報が他の概要情報サーバに保存されている場合には、他の概要情報サーバの前記古い概要情報を削除するステップと、を更に有することを特徴とする請求項７に記載の記録媒体情報表示方法。
【発明の詳細な説明】
【技術分野】
【０００１】
本発明は、動画などのコンテンツを大量に保存する記録媒体に蓄えられたコンテンツの概要情報を一覧表示する記録媒体情報表示装置及びその表示方法に関する。
【背景技術】
【０００２】
半導体メモリの高密度化により、切手大あるいはそれより小さい形状の半導体メモリカード（例えばＳＤカード）内に１ＧＢ（ギガバイト）以上のデータを記録することが可能となっている。この大容量性能を利用して、これらのメモリカード内に多数の高精細度の静止画や、音声や動画コンテンツを保存する応用が広く普及している。例えばパーソナルコンピュータ、携帯電話、デジタルカメラ、携帯型音楽プレーヤー、ビデオカメラ、ＤＶＤプレーヤー、ハードディスク型ビデオレコーダー、デジタル放送対応テレビなどで利用されている。
【０００３】
従来の磁気テープ記録媒体や光ディスク記録媒体では、それらの媒体自体の形状、あるいはその媒体を収納するケースの形状が比較的大きかったので、媒体自体やケースの表面に適当なラベルを貼りつけ、記録媒体に保存されたコンテンツの概要（例えば曲名、番組名、記録日時）を文字記載することはそれほど困難なことではなかった。
【０００４】
しかしながら前述した半導体メモリカードはせいぜい切手大、あるいはその数分の一という形状であるため、そして非常に多くのプログラムを保存することができるため、メモリカード上に文字を記載することは極めて困難である。
【０００５】
複数のコンテンツが記録された記録媒体に保存されている内容を、記録媒体表面や収納ケース表面の文字表記なしに確認するためには、実際にその記録媒体を再生端末（例えばテレビ受信機やＤＶＤプレーヤー）でコンテンツ再生すればよいが、希望するプログラムの選択のために記録媒体に保存されている全てのコンテンツを総当りで再生していくのは極めて長時間を要し、また操作性も悪い。これを解消するためには、例えばデジタルカメラにおけるサムネイル一覧表示のように各コンテンツの概要が一覧表示されている画面を表示する機能が有効である。
【０００６】
そこでこのような機能を実現させるために、例えば特許文献１では、各コンテンツがどの再生端末に、あるいはどの外部記録媒体に保存されており、各コンテンツがどのようなものであるかを示す概要情報を一覧表として表示させることを提案している。再生端末と記録媒体の間での情報のやりとりは、再生端末への記録媒体の装着、あるいはネットワークを介しての接続で行われる。
【０００７】
また特許文献２では、記録媒体の外観情報（例えば記録媒体上に光学的認識可能な状態で記録されたバーコードやラベル）をあらかじめカメラ撮影する。その後、その外観情報とその記録媒体内のコンテンツ情報をサーバに保存し、再生しようとする記録媒体の外観情報をカメラで撮影してサーバに保存された外観情報と照合することにより、非接触で記録媒体を特定して、その中のコンテンツ情報を表示することが提案されている。
【先行技術文献】
【特許文献】
【０００８】
【特許文献１】特開２００７−０３４６６２号公報
【特許文献２】特開２００７−３１７３２１号公報
【発明の概要】
【発明が解決しようとする課題】
【０００９】
前述のように、特許文献１による方法を用いれば、保存されたコンテンツ自体を再生することなく、コンテンツの概要情報を一覧表示して、希望のプログラムの選択が容易となる。しかし、この概要情報表示をさせるためには、コンテンツの再生を行う場合と同じように、記録媒体を再生端末に装着またはネットワーク接続させなければならず、希望するプログラムの有無を簡単に知りたいという利用者の要望を満たすものではない。
【００１０】
また特許文献２による方法を用いれば、記録媒体を再生装置に直接装着しなくても、外観情報をカメラで撮影することにより、非接触でコンテンツの概要をあらかじめ情報登録したサーバから読み出せるので、利用者の操作性は著しく向上する。
【００１１】
しかし、各記録媒体を識別して特定するための外観情報をあらかじめ作成して記録媒体の表面のいずれかの場所に光学的に読み取れる形式で記録しなければならないという課題が生じる。撮影して識別しやすい情報としてはビット列、バーコード、２次元バーコード、識別しやすい字体で記載された英数字列などがあるが、いずれもあらかじめ特定の装置で作成、記録（印刷）しておく必要がある。このため特許文献２では、専用の記録装置を備え、必要な外観情報を記録媒体に記録している。通常の記録装置に比べると当然コストアップとなり、実用上の課題となる。また特許文献２では記録媒体として光ディスクを前提としているため、本発明で主に対象としている半導体メモリには適用できない。
【００１２】
さらに特許文献２では、外観情報及びそれと結び付けられたコンテンツの概要情報は特定の装置（特許文献２ではホームサーバ）に保存されるが、保存先としてのサーバが複数台ある場合にはついては考慮されていない。最近では、家庭内のパーソナルコンピュータ、デジタル放送対応テレビ、ハードディスク映像レコーダなどに動画再生に対応したＳＤカード装着スロットが用意されており、それぞれの映像機器が概要情報を保存するサーバになりうるので、「複数サーバ」に対応する仕組みは重要である。
【００１３】
本発明はこのような課題を解決するためになされたものであり、多数のコンテンツが記録された記録媒体の概要情報を簡単な操作で短時間に読み出して、希望するコンテンツの有無の判別及び希望するコンテンツの選択が容易に行えるような記録媒体情報表示装置及びその表示方法を提供することを目的とする。
【課題を解決するための手段】
【００１４】
上述の目的を達成するために、本発明の請求項１に係る記録媒体情報表示装置は、放送データを受信する放送受信部と、放送データに含まれる動画コンテンツを表示する表示部と、動画コンテンツから概要情報を作成する概要情報作成部と、概要情報を記憶する概要情報サーバと通信する通信Ｉ／Ｆ部と、リモコン装置から着脱可能な記録媒体の媒体識別子を受信するリモコン受信部と、記録媒体に対して、動画コンテンツの録画及び再生を行うとともに、概要情報を記録させるカード制御部と、動画コンテンツを記録媒体に録画する場合には、概要情報を、カード制御部を介して記録媒体に記録するとともに、概要情報及び媒体識別子を、通信Ｉ／Ｆ部を介して概要情報サーバに送信して保存させ、リモコン受信部が、リモコン装置から記録媒体の媒体識別子を受信した場合には、媒体識別子を通信Ｉ／Ｆ部を介して概要情報サーバに送信し、概要情報サーバから媒体識別子に対応した概要情報を受信して表示部に表示させる制御部と、を備えたことを特徴とする。
【００１５】
このような構成により、記録媒体を記録媒体情報表示装置に挿入することなく、リモコン装置に近づけるだけで（非接触で）記録媒体に記録されている動画コンテンツの概要情報を容易にデジタルテレビなどの表示画面に表示することができる。
【００１６】
また本発明の請求項２に係る記録媒体情報表示装置では、請求項１に係る記録媒体情報表示装置において、制御部は、複数の概要情報サーバが接続されている場合には、それぞれの動画コンテンツに対応した概要情報を保存した概要情報サーバのサーバ識別子を概要情報に対応させて記録媒体に記録させ、動画コンテンツごとに対応する概要情報サーバから概要情報を取得し、取得した概要情報を結合して表示部に表示させることを特徴とする。
【００１７】
このような構成により、記録媒体に記録されている動画コンテンツの概要情報が複数台の概要情報サーバに分散されて保存されている場合であっても、それぞれの概要情報サーバから対応する概要情報を取得し表示することが可能となる。
【００１８】
また本発明の請求項３に係る記録媒体情報表示装置では、請求項２に係る記録媒体情報表示装置において、制御部は、同一の動画コンテンツに対して複数の概要情報サーバから概要情報が取得された場合には、最新の概要情報を選択して表示部に表示させることを特徴とする。
【００１９】
このような構成により、同一の動画コンテンツについて複数の概要情報サーバから概要情報が取得された場合でも、保存された日付の最新の概要情報を選択して表示することができる。
【００２０】
また本発明の請求項４に係る記録媒体情報表示装置では、請求項２に係る記録媒体情報表示装置において、制御部は、記録媒体が接続された時に、記録媒体の動画コンテンツの概要情報と概要情報が保存されている概要情報サーバのサーバ識別子を取得し、動画コンテンツに対応する古い概要情報が他の概要情報サーバに保存されている場合には、他の概要情報サーバの古い概要情報を削除させることを特徴とする。
【００２１】
このような構成により、記録媒体に記録されている動画コンテンツが更新された場合でも、更新された動画コンテンツに対応する概要情報が保存されている概要情報サーバの概要情報が正しく更新される。
【００２２】
また本発明の請求項５に係る記録媒体情報表示装置では、請求項１〜４のいずれか１項に係る記録媒体情報表示装置において、概要情報サーバの機能を内蔵したことを特徴とする。
【００２３】
このような構成により、外部の概要情報サーバとネットワーク接続して通信する必要がなく、デジタルテレビなどの機器単独で記録媒体の概要情報を表示することができる。
【００２４】
本発明の請求項６に係る記録媒体情報表示方法は、放送データを受信するステップと、受信した放送データに含まれる動画コンテンツを表示するステップと、動画コンテンツを着脱可能な記録媒体に録画するステップと、動画コンテンツから概要情報を作成するステップと、記録媒体に概要情報を記録するステップと、概略情報サーバに概要情報及び記録媒体の媒体識別子を記録するステップと、リモコン信号として記録媒体の媒体識別子を受信するステップと、受信した媒体識別子に対応した概要情報を概要情報サーバから取得するステップと、取得した概要情報を表示するステップと、を有することを特徴とする。
【００２５】
また本発明の請求項７に係る記録媒体情報表示方法では、請求項６に係る記録媒体情報表示方法において、記録媒体に概要情報を記録するステップは、複数の概要情報サーバが接続されている場合には、それぞれの動画コンテンツに対応した概要情報を保存した概要情報サーバのサーバ識別子を概要情報に対応させて記録し、取得した概要情報を表示するステップは、複数の概要情報サーバから取得した概要情報を結合して表示することを特徴とする。
【００２６】
また本発明の請求項８に係る記録媒体情報表示方法では、請求項７に係る記録媒体情報表示方法において、取得した概要情報を表示するステップは、同一の動画コンテンツに対して複数の概要情報サーバから概要情報が取得された場合には、最新の概要情報を選択して表示することを特徴とする。
【００２７】
また本発明の請求項９に係る記録媒体情報表示方法では、請求項７に係る記録媒体情報表示方法において、記録媒体が接続された時に、記録媒体の動画コンテンツの概要情報と概要情報が保存されている概要情報サーバのサーバ識別子を取得し、動画コンテンツに対応する古い概要情報が他の概要情報サーバに保存されている場合には、他の概要情報サーバの古い概要情報を削除するステップと、を更に有することを特徴とする。
【発明の効果】
【００２８】
本発明によれば、多数のコンテンツが記録された記録媒体の概要情報を、表示装置本体と記録媒体とを非接触による簡単な操作で読み出して、希望するコンテンツの有無の判別及び希望するコンテンツの選択が容易に行えるような記録媒体情報表示装置及びその表示方法を提供できる。
【図面の簡単な説明】
【００２９】
【図１】本発明の実施の形態１における記録媒体情報表示装置の周辺装置との接続を示すブロック図である。
【図２】本発明の実施の形態１における録画時の信号の流れと情報の保存場所を示すブロック図である。
【図３】本発明の実施の形態１における概要情報表示時の信号の流れと情報の保存場所を示すブロック図である。
【図４】本発明の実施の形態１における概要情報サーバの保存内容を示す説明図である。
【図５】本発明の実施の形態１におけるリモコン装置の構成例を示すブロック図である。
【図６】本発明の実施の形態１における記録媒体情報表示装置の基本構成例を示すブロック図である。
【図７】本発明の実施の形態１における概要情報サーバの構成例を示すブロック図である。
【図８】本発明の実施の形態２における記録媒体情報表示装置の周辺装置との接続を示すブロック図である。
【図９】本発明の実施の形態２における概要情報の表示例を示す説明図である。
【図１０】本発明の実施の形態２における概要情報の結合表示処理を示すフローチャートである。
【図１１】本発明の実施の形態２における概要情報の結合表示処理を示すフローチャートである。
【図１２】本発明の実施の形態３における概要情報の保存処理結果を示す説明図である。
【図１３】本発明の実施の形態３における概要情報の保存処理を示すフローチャートである。
【図１４】本発明の実施の形態３における概要情報の削除処理を示すフローチャートである。
【発明を実施するための形態】
【００３０】
以下、本発明の実施の形態について、図面を参照しながら説明する。
【００３１】
（実施の形態１）
図１は本発明の実施の形態１における記録媒体情報表示装置１０１とそれに接続される周辺装置の接続を示すブロック図である。本発明における記録媒体情報表示装置として最も一般的に想定されるものはデジタル放送テレビジョン受信機（以下、「デジタルテレビ」という）であるので、記録媒体情報表示装置１０１は特に断らない場合はデジタルテレビであるものとして説明する。記録媒体情報表示装置１０１には地上放送や衛星放送などの放送信号が入力されている。またカードスロット１１０を備えており、記録媒体１０２が着脱可能となっている。この記録媒体１０２を用いて放送番組を録画したり、録画した番組を再生することが可能となる。記録媒体１０２は最も代表的にはＳＤカードに代表される大容量半導体メモリであるが、着脱可能なハードディスクなどを使用してもよい。
【００３２】
リモコン装置１０３は通常は赤外線通信機能などにより、記録媒体情報表示装置１０１のリモコン操作のために用いられるが、記録媒体１０２との無線通信機能によって記録媒体１０２内に保存されたデータを受信し、さらに記録媒体情報表示装置１０１にそのデータを送信することができる。すなわち、記録媒体１０２は大容量メモリであり、同時に無線通信機能を内蔵している。リモコン装置１０３も同じ規格の無線通信機能を内蔵して、記録媒体１０２からのデータを受信できる。無線通信の手段としては、無線ＬＡＮ規格、Ｂｌｕｅｔｏｏｔｈ無線規格、ＲＦＩＤ規格などが利用可能である。
【００３３】
概要情報サーバ１０４（以下、単に「サーバ」ともいう）は、記録媒体１０２に保存された動画コンテンツの概要情報を保存するサーバであり、単独のサーバ１０４として存在してもよいし、例えばデジタルテレビの内部に機能ブロックとして内蔵され、概要情報サーバ機能を内蔵した記録媒体情報表示装置１２０として存在してもよい。本実施の形態においては便宜上、分離したサーバ装置として説明する。
【００３４】
概要情報は動画コンテンツに関係する情報であって、例えばコンテンツ名（番組や映画のタイトル名）、コンテンツのジャンル、放送日付、録画日付などが含まれる。この概要情報は、記録媒体情報表示装置１０１が、放送信号中に含まれる番組関連情報や、自らが有する時計情報などを用いて作成する。また個々のコンテンツごとの概要情報を識別するために、各概要情報にはコンテンツＩＤを付与する。
【００３５】
図２は動画コンテンツの録画時における信号の流れと、情報の保存される場所を示すブロック図である。記録媒体１０２がカードスロット１１０に装着されると、記録媒体１０２の媒体識別子（例えば、ＲＦＩＤ）が記録媒体情報表示装置１０１に入力される。記録媒体情報表示装置１０１は録画すべき動画コンテンツとその概要情報を記録媒体１０２に記録すると同時に、概要情報サーバ１０４には録画先の媒体識別子と概要情報を記録する。これによって概要情報サーバ１０４には、どの記録媒体１０２にどのような動画コンテンツが録画されているかが記録される。
【００３６】
複数の記録媒体１０２に動画コンテンツを録画すると、上記の動作によって、概要情報サーバ１０４に、媒体識別子と概要情報の対が複数種類記録されることになる。
【００３７】
図３は録画された記録媒体１０２にどのような動画コンテンツが録画されたのかを、非接触で簡単に把握する時の信号の流れと情報の保存場所を示すブロック図である。まずリモコン装置１０３を記録媒体１０２に近づけて、無線通信機能により記録媒体１０２の媒体識別子をリモコン装置１０３に読み込ませる。引き続き、リモコン装置１０３から赤外線通信機能により記録媒体情報表示装置１０１に媒体識別子を送信する。
【００３８】
記録媒体情報表示装置１０１は受信した媒体識別子を概要情報サーバ１０４に送信し、概要情報サーバ１０４は、その識別子に対応する概要情報を読み出して記録媒体情報表示装置１０１に返信する。記録媒体情報表示装置１０１は受信した概要情報を装置内部の表示部１１１に表示する。これによって使用者は、記録媒体１０２を記録媒体情報表示装置１０１のカードスロット１１０に装着することなく、リモコン装置１０３を用いて非接触で録画コンテンツの概要情報を閲覧することができる。
【００３９】
図４は複数の記録媒体１０２に録画した場合の概要情報サーバ１０４の保存内容を示す説明図である。例えば、４枚の記録媒体１０２に録画したとすると、図４のように識別子１〜識別子４（媒体識別子）及びそれぞれの記録媒体１０２に録画された動画コンテンツの概要情報１〜概要情報４が対になって保存される。また概要情報は録画された動画コンテンツの関連情報であるので、録画番組が複数個あればそれぞれの番組ごとに概要情報が存在する。例えば、図面中の概要情報１の中にコンテンツＩＤ１〜コンテンツＩＤ３、及びそれぞれに対応したコンテンツ概要１〜コンテンツ概要３が対になって含まれる。
【００４０】
図５は本実施の形態のリモコン装置１０３の構成例を示すブロック図である。無線通信部３０１は同じく無線通信機能を有する記録媒体１０２と無線通信を行う。赤外線通信部３０２は記録媒体情報表示装置１０１に対して赤外線でデータを送信する。装置全体の制御は制御部３０３で行う。使用者のキー操作の検出はキー入力検出部３０４で行う。
【００４１】
図６は本実施の形態における記録媒体情報表示装置１０１の基本構成例を示すブロック図である。記録媒体情報表示装置１０１は、カードスロット１１０、表示部１１１、放送受信部１１２、ストリーム復号部１１３、リモコン受信部１１４、概要情報作成部１１５、通信Ｉ／Ｆ部１１６、カード制御部１１７、制御部１１８を備えている。
【００４２】
地上放送などの放送データは放送受信部１１２で受信され、ストリーム復号部１１３で映像、音声、データ信号が取り出される。制御部１１８は、取り出された映像信号を表示部１１１に表示させる。表示部１１１は、例えば液晶パネル、プラズマパネルなどが用いられる。概要情報作成部１１５はストリーム復号部１１３で得られた番組関連情報などを用いて、番組の概要情報を作成する。概要情報に含まれるサムネイル画像などもこの概要情報作成部１１５において作成される。なお、制御部１１８はＣＰＵ、ＲＡＭ、ＲＯＭなどで構成され記録媒体情報表示装置１０１全体を制御する。
【００４３】
録画時には、制御部１１８は、作成された概要情報を通信Ｉ／Ｆ部１１６を介して概要情報サーバ１０４に送信して書き込むと同時に、カード制御部１１７、カードスロット１１０を介して記録媒体１０２にも書き込む。それと同時に録画される動画コンテンツをストリーム復号部１１３から取り出してカード制御部１１７、カードスロット１１０を介して記録媒体１０２に書き込む。また録画時には、制御部１１８は記録媒体１０２の媒体識別子をカードスロット１１０、カード制御部１１７を介して読み込み、通信Ｉ／Ｆ部１１６を介して概要情報サーバ１０４に送信する。これによって概要情報サーバ１０４に、媒体識別子と概要情報が対になって保存される。
【００４４】
次に記録媒体１０２内の動画コンテンツの概要情報を表示させる場合には、記録媒体１０２の媒体識別子をリモコン受信部１１４で受信し、制御部１１８は通信Ｉ／Ｆ部１１６を介して概要情報サーバ１０４に送り、問い合わせる。該当の媒体識別子に対応する概要情報が保存されていれば、概要情報サーバ１０４から通信Ｉ／Ｆ部１１６を介して概要情報を受信し、表示部１１１に概要情報を表示させる。前述したとおり、記録媒体１０２に複数の動画コンテンツが録画されていれば、それらに対応する概要情報として、コンテンツＩＤとコンテンツ概要が複数個、一覧表示される。
【００４５】
図７は本実施の形態の概要情報サーバ１０４の構成例を示すブロック図である。動画コンテンツの録画時には、記録媒体情報表示装置１０１より通信Ｉ／Ｆ部４０４を介して、媒体識別子と概要情報の対が入力され、制御部４０３を経て概要情報記憶部４０１に記録される。概要情報記憶部４０１内では、媒体識別子によって識別された媒体ごとに概要情報が記録される。概要情報は図７に示すように、コンテンツＩＤとコンテンツ概要の対で保存され、録画した番組の数だけ（図７ではコンテンツＩＤ１からコンテンツＩＤ３までの３個）保存される。
【００４６】
記録媒体１０２内に録画された動画コンテンツの概要情報を表示する場合は、通信Ｉ／Ｆ部４０４を介して記録媒体情報表示装置１０１から媒体識別子が入力され、識別子検索部４０２で該当の識別子を概要情報記憶部４０１より検索する。該当の識別子が見つかれば、その識別子に対応する概要情報を読み出して、通信Ｉ／Ｆ部４０４を介して記録媒体情報表示装置１０１に返信する。
【００４７】
このように本実施の形態の記録媒体情報表示装置１０１によれば、記録媒体１０２を記録媒体情報表示装置１０１に挿入することなく、リモコン装置１０３に近づけるだけで（非接触で）記録媒体１０２に記録されている動画コンテンツの概要情報を容易にデジタルテレビなどの表示画面に表示することができる。
【００４８】
（実施の形態２）
次に、本発明の実施の形態２における記録媒体情報表示装置１０１について、図８〜図１１を用いて説明する。本実施の形態は、記録媒体１０２に記録されている動画コンテンツの概要情報が複数台の概要情報サーバ１０４、１０５に分散されて保存されている場合の、概要情報表示に関するものである。
【００４９】
図８において、記録媒体１０２、リモコン装置１０３、記録媒体情報表示装置１０１及び概要情報サーバ１０４は、図１と同じ内容、同じ接続である。図８では２台目の概要情報サーバ１０５が追加され、記録媒体情報表示装置１０１に接続されている。追加された概要情報サーバ１０５の具体例としては、パーソナルコンピュータ、ハードディスク型映像レコーダ、ビデオカメラなどにおける概要情報サーバ機能ブロックが考えられる。これらの製品はいずれも、動画コンテンツの録画機能、及びその録画をＳＤカードなどの大容量半導体メモリに記録する機能を有する点において、記録媒体情報表示装置１０１として想定されているデジタルテレビと同等である。説明の便宜上、これ以降は概要情報サーバ１０４を概要情報サーバ（１）、概要情報サーバ１０５を概要情報サーバ（２）と呼ぶ。
【００５０】
なお記録媒体情報表示装置１０１と複数の概要情報サーバ１０４、１０５などとの接続は、ＩＰプロトコルによるＬＡＮケーブルや、ＩＥＥＥ１３９４対応のケーブル、ＨＤＭＩケーブルなどが利用可能である。
【００５１】
同じ記録媒体１０２を用いて異なる録画機器（概要情報サーバ機能ブロックを内蔵するもの）でその記録媒体１０２に録画した場合、記録媒体１０２には異なる概要情報サーバ１０４、１０５に保存された概要情報が記録されることになる。逆に言えば、ある記録媒体１０２に録画されている動画コンテンツの概要情報は異なる複数の概要情報サーバ１０４、１０５に分散して保存されている状態が存在する。また最初に録画した動画コンテンツを他の録画機器で編集、加工した場合、コンテンツＩＤは同じであってもそのコンテンツＩＤに対応するコンテンツ概要が異なる場合も存在する。図９はこのような場合に、複数の概要情報サーバ１０４、１０５に保存されている概要情報をどのように表示するかを示す表示例である。
【００５２】
概要情報サーバ（１）にはコンテンツＩＤ２、３、４の３種類の動画コンテンツのコンテンツ概要が、概要情報サーバ（２）にはコンテンツＩＤ１、２の２種類の動画コンテンツのコンテンツ概要が保存されている。またコンテンツＩＤ２のコンテンツ概要は２つの概要情報サーバ１０４、１０５に保存されているが、概要情報サーバ（１）内のコンテンツ概要２αは概要情報サーバ（２）内のコンテンツ概要２よりも新しく保存（更新）されたものであるとする。
【００５３】
以上の状況において、媒体識別子ＩＤ１がリモコン装置１０３経由で記録媒体情報表示装置１０１に読み込まれた場合は、概要情報サーバ（１）と概要情報サーバ（２）から該当識別子の概要情報を読み出し、図９中の表示部１１１の表示結果のように、２つの概要情報サーバ１０４、１０５の概要情報を結合（マージ）して表示する必要がある。この時コンテンツＩＤ２の概要情報については、記録日時の新しいコンテンツ概要２αの方を表示する。
【００５４】
図１０及び図１１は、本実施の形態の記録媒体情報表示装置１０１の動作（概要情報の結合表示処理）を示すフローチャートである。まず、図１０において、ステップＳ１１で記録媒体情報表示装置１０１は概要情報の取得を開始する。ステップＳ１２でＳＤカード（記録媒体１０２）内の概要情報サーバＩＤ（サーバ識別子）と概要情報サーバの個数ｎを取得する。ステップＳ１３でカウンタ変数ｉを初期化（ｉ＝１）し、ステップＳ１４〜ステップＳ１６でｎ個の概要情報サーバに保存されている概要情報を取得する。そしてステップＳ１４でカウンタ変数ｉがｎより大きくなると（「Ｎｏ」の場合）、ステップＳ１７に移行して概要情報の取得を終了する。
【００５５】
次に、概要情報サーバからの概要情報を取得する動作を説明する。図１１において、ステップＳ１０１で概要情報サーバ（ｉ）の概要情報の読み込みを開始する。ステップＳ１０２で概要情報中のコンテンツ数ｍ、コンテンツＩＤ１〜ｍ、コンテンツ概要１〜ｍを読み込む。ステップＳ１０３でカウンタ変数ｊを初期化（ｊ＝１）し、ステップＳ１０４でカウンタ変数ｊが上記のコンテンツ数ｍ以下か、すなわち保存されているコンテンツ数以下かをチェックする。
【００５６】
動作途中はカウンタ変数ｊはコンテンツ数ｍ以下なので（「ＹＥＳ」）、ステップＳ１０５に移行し、コンテンツＩＤｊが既に（他の概要情報サーバから）読み込まれたか否か（概要情報の表示リストに登録されているか否か）をチェックする。まだ読み込まれていない新しいコンテンツＩＤであれば（「ＹＥＳ」の場合）、ステップＳ１０８に移行し、コンテンツＩＤｊとコンテンツ概要ｊを表示用リストに登録する。ステップＳ１０５で既に読み込まれたことのあるコンテンツＩＤであれば（「ＮＯ」の場合）、ステップＳ１０７に移行し、この概要情報サーバ（ｉ）のコンテンツ概要ｊが既に読み込まれたコンテンツ概要と比べて新しいか否かをコンテンツ概要に含まれる記録日時を比較することによって判断する。
【００５７】
今回のコンテンツ概要ｊの方が新しい場合（「ＮＯ」の場合）は、ステップＳ１０８に移行し、このコンテンツ概要ｊを表示リストに登録（古いコンテンツ概要を上書き）する。今回のコンテンツ概要ｊの方が古い場合（「ＹＥＳ」の場合）は、何もせずにステップＳ１０９に移行し、カウンタ変数ｊを１増加する。すなわち次のコンテンツＩＤのチェックに移るためにステップＳ１０４に戻る。
【００５８】
全てのコンテンツＩＤについてチェックが終われば、ステップＳ１０４でカウンタ変数ｊがｍより大きくなるので（「ＮＯ」）、ステップＳ１０６に移行して表示リストへの登録動作を終了する。
【００５９】
このように本実施の形態によれば、記録媒体１０２に記録されている動画コンテンツの概要情報が複数台の概要情報サーバに分散されて保存されている場合であっても、それぞれの概要情報サーバから対応する概要情報を取得し表示することが可能となる。さらに、同一の動画コンテンツについて複数の概要情報サーバから概要情報が取得された場合でも、保存された日付の最新の概要情報を選択して表示することができる。
【００６０】
（実施の形態３）
次に、本発明の実施の形態３における記録媒体情報表示装置１０１について、図１２〜図１４を用いて説明する。本実施の形態は、記録媒体１０２の概要情報が変更された場合、対応する概要情報サーバ１０４、１０５に保存されている概要情報を更新する方法に関するものである。
【００６１】
図１２は図１１のような過程を経て複数の概要情報サーバ１０４、１０５の保存内容を結合、整理して得た概要情報を記録した記録媒体１０２を記録媒体情報表示装置１０１に接続した時に、それに接続されている複数の概要情報サーバ１０４、１０５に対してその保存内容を更新する様子を示した説明図である。媒体識別子ＩＤ１を有する記録媒体１０２をカードスロット１１０に装着して記録媒体情報表示装置１０１に接続すると、コンテンツＩＤ１〜４のコンテンツ概要が読み込まれ、それぞれ該当する概要情報サーバ１０４、１０５に書き込まれる。コンテンツＩＤ１のコンテンツ概要１は概要情報サーバ（２）の保存内容であったのでそのまま概要情報サーバ（２）に書き込まれる。
【００６２】
コンテンツＩＤ２のコンテンツ概要２αは概要情報サーバ（１）の保存内容であったのでそのまま概要情報サーバ（１）に書き込まれるが、同じコンテンツＩＤ２で古いコンテンツ概要２を保存していた概要情報サーバ（２）からはコンテンツＩＤ２とコンテンツ概要２は削除される。この動作によって、あるコンテンツＩＤを持つコンテンツ概要は、最も新しいものが１つだけ特定の概要情報サーバ１０４、１０５に保存される。
【００６３】
コンテンツＩＤ３のコンテンツ概要３は概要情報サーバ（１）の保存内容であったのでそのまま概要情報サーバ（１）に書き込まれる。
【００６４】
コンテンツＩＤ４のコンテンツ概要４はどの概要情報サーバ１０４、１０５にも保存されていない新規のコンテンツであるので、あらかじめ定めた優先の概要情報サーバ１０４、１０５、図１２では概要情報サーバ（１）に保存される。
【００６５】
図１３は本実施の形態の記録媒体情報表示装置１０１の動作（概要情報の保存処理）を示すフローチャートである。まずステップＳ２０１でＳＤカード（記録媒体１０２）からの概要情報取得を開始する。次にステップＳ２０２で記録媒体１０２内に記録されている概要情報サーバＩＤとその個数ｎを読み込み、ステップＳ２０３でカウンタ変数ｉを初期化（ｉ＝１）する。次にステップＳ２０４でカウンタ変数ｉが上記の概要情報サーバの個数ｎ以下か、すなわち接続されている概要情報サーバ数以下かをチェックする。
【００６６】
動作途中はカウンタ変数ｉは概要情報サーバの個数ｎ以下なので（「ＹＥＳ」）、ステップＳ２０５に移行し、概要情報サーバ（ｉ）の概要情報を読み込む。次にステップＳ２０６でカウンタ変数ｉを１増加する。すなわち次の概要情報サーバの読み込みに移るためにステップＳ２０４に戻る。全ての概要情報サーバの読み込みが終了すると、ステップＳ２０４でカウンタ変数ｉと概要情報サーバの個数ｎが等しくなるので（「ＮＯ」）、ステップＳ２０７に移行し、カウンタ変数ｉを再び初期化（ｉ＝１）する。ここからＳ２０８、Ｓ２０９、Ｓ２１０を繰り返すことによって、複数の概要情報サーバに重複して書き込まれた同じコンテンツＩＤを持つコンテンツ概要のうち、古いものを削除する。全ての概要情報サーバにおいて古い情報の削除が終了すると（ステップＳ２０８で「ＮＯ」の場合）、ステップＳ２０８からステップＳ２１１に移り処理を終了する。
【００６７】
図１４は、図１３におけるステップＳ２０９における古い概要情報の削除処理をさらに詳細なステップに分解して説明したフローチャートである。まずステップＳ３０１で概要情報サーバ（ｉ）における古いコンテンツ概要の削除を開始する。次にステップＳ３０２でコンテンツＩＤｊのカウンタ変数ｊを初期化（ｊ＝１）する。次にステップＳ３０３でカウンタ変数ｊがコンテンツ数ｍ以下か、すなわち保存されているコンテンツ数以下かをチェックする。
【００６８】
動作途中はカウンタ変数ｊはコンテンツ数ｍ以下なので（「ＹＥＳ」）、ステップＳ３０４に移行し、コンテンツＩＤｊが概要情報サーバ（ｉ）の概要情報として記録媒体１０２上に登録されているか否かをチェックする。概要情報サーバ（ｉ）に登録されているコンテンツＩＤであれば（「ＹＥＳ」の場合）、何もせずにステップＳ３０５に移行してカウンタ変数ｊを１増加させてステップＳ３０３に戻り、次のコンテンツＩＤの処理を行う。
【００６９】
ステップＳ３０４でコンテンツＩＤｊの保存場所として概要情報サーバ（ｉ）が登録されていない場合（「ＮＯ」の場合）は、ステップＳ３０６に移行し、概要情報サーバ（ｉ）がコンテンツＩＤｊを保存しているかをチェックする。保存している場合（「ＹＥＳ」の場合）、すなわち記録媒体では保存先に指定していないのに、概要情報サーバ側では保存している場合は、古い無効なコンテンツ概要を保存していることになるので、ステップＳ３０７に移行してこのコンテンツＩＤｊとコンテンツ概要ｊを概要情報サーバ（ｉ）から削除する。
【００７０】
以上の動作を全ての概要情報サーバに対して終えると（ステップＳ３０３で「ＮＯ」の場合）、ステップＳ３０３からステップＳ３０８に移って、古いコンテンツ概要の削除処理を終了する。
【００７１】
このように本実施の形態によれば、記録媒体１０２に記録されている動画コンテンツが更新された場合でも、更新された動画コンテンツに対応する概要情報が保存されている概要情報サーバ１０４、１０５の概要情報が正しく更新される。
【００７２】
以上説明したように、本発明の実施の形態の記録媒体情報表示装置１０１によれば、記録媒体１０２を記録媒体情報表示装置１０１に挿入することなく、リモコン装置１０３に近づけるだけで（非接触で）記録媒体１０２に記録されている動画コンテンツの概要情報を容易にデジタルテレビなどの表示画面に表示することができる。また、記録媒体１０２に記録されている動画コンテンツの概要情報が複数台の概要情報サーバ１０４、１０５に分散されて保存されている場合であっても、それぞれの概要情報サーバ１０４、１０５から対応する概要情報を取得し表示することが可能となる。さらに、同一の動画コンテンツについて複数の概要情報サーバ１０４、１０５から概要情報が取得された場合でも、保存された日付の最新の概要情報を選択して表示することができる。また、記録媒体１０２に記録されている動画コンテンツが更新された場合でも、更新された動画コンテンツに対応する概要情報が保存されている概要情報サーバ１０４、１０５の概要情報が正しく更新される。
【産業上の利用可能性】
【００７３】
本発明は、ＳＤカードに代表される大容量半導体メモリに記録されている多数のコンテンツのコンテンツ概要を簡単に把握、表示できるので、デジタルテレビを始めＳＤカードの録画機能を備える多くの家庭用の映像機器に利用可能である。
【符号の説明】
【００７４】
１０１，１２０    記録媒体情報表示装置
１０２    記録媒体
１０３    リモコン装置
１０４，１０５    概要情報サーバ
１１０    カードスロット
１１１    表示部
１１２    放送受信部
１１３    ストリーム復号部
１１４    リモコン受信部
１１５    概要情報作成部
１１６，４０４    通信Ｉ／Ｆ部
１１７    カード制御部
１１８，３０３，４０３    制御部
３０１    無線通信部
３０２    赤外線通信部
３０４    キー入力検出部
４０１    概要情報記憶部
４０２    識別子検索部
【図１】
2011166643.tif 000003
【図２】
2011166643.tif 000004
【図３】
2011166643.tif 000005
【図４】
2011166643.tif 000006
【図５】
2011166643.tif 000007
【図６】
2011166643.tif 000008
【図７】
2011166643.tif 000009
【図８】
2011166643.tif 000010
【図９】
2011166643.tif 000011
【図１０】
2011166643.tif 000012
【図１１】
2011166643.tif 000013
【図１２】
2011166643.tif 000014
【図１３】
2011166643.tif 000015
【図１４】
2011166643.tif 000016